(57)【特許請求の範囲】
【請求項１】
ビニールハウスの天井部に換気窓を設け、この換気窓の全面に防虫網を取り付けるためのビニールハウスの防虫網取付構造であって、
前記ビニールハウスの奥行き方向に間隔を空けて立設される複数のパイプ材のうち少なくとも２本以上の前記パイプ材に跨がるようにして取り付けられ、前記ビニールハウスの内側に防虫網取付部が設けられた支持部材と、
前記防虫網取付部に取り付けられ、前記換気窓の全面を内側から覆う防虫網と、
前記ビニールハウスの天井部を構成する屋根ビニールよりも外側に取り付けられ、前記換気窓の全面を外側から覆い、前記換気窓の開閉に用いられる開閉用ビニールと
を備えたことを特徴とするビニールハウスの防虫網取付構造。
【請求項２】
前記支持部材には、隣り合う前記パイプ材の間を覆うパイプ取付部が形成されていることを特徴とする請求項１に記載のビニールハウスの防虫網取付構造。
【請求項３】
前記防虫網取付部は、前記ビニールハウスの奥行き方向に連続して延在し、前記支持部材が前記パイプ材に取り付けられた状態で、斜め上側に向けて突出することを特徴とする請求項１または請求項２に記載のビニールハウスの防虫網取付構造。
【請求項４】
前記パイプ材が円弧状に曲げられたアーチパイプであり、前記支持部材を前記アーチパイプの円弧状の曲率に合わせて取り付けることを特徴とする請求項１から請求項３のいずれか１つに記載のビニールハウスの防虫網取付構造。
【発明の詳細な説明】
【技術分野】
【０００１】
本発明は、ビニールハウスの換気窓に防虫網を取り付けるための防虫網の取付構造に関する。
【背景技術】
【０００２】
ビニールハウス（パイプハウスなどともいう）は、太陽光を取り入れ可能な透過ビニールによってその全体が覆われており、その天井部には、換気窓が設けられている。この換気窓には、ビニールハウス内に害虫が入り込むのを防いだり、ハウス内の受粉用のミツバチが外へ逃げないようにするための防虫網が取り付けられている。
【０００３】
この防虫網は、ビニールハウスのビニールの外側から換気窓の全面を覆うようにして取り付けられる。また、防虫網のさらに外側には、この防虫網を含む換気窓の全面を覆うようにして開閉用ビニールが取り付けられる。すなわち、この開閉用ビニールを閉じた状態では、ビニールハウス内に日光を入れつつハウス内の温度を一定に保つことができ、開いた状態では、防虫網を介して、ビニールハウスの内部と外部の空気を入れ替えると共に、害虫の侵入を防ぐことができるようになっている（例えば、特許文献１参照）。
【先行技術文献】
【特許文献】
【０００４】
【特許文献１】実願２００６−３９５４号公報
【発明の概要】
【発明が解決しようとする課題】
【０００５】
上述した防虫網および開閉用ビニールは、いずれもビニールハウスの外側から取り付けられるため、開閉用ビニールを閉じた状態では、防虫網と開閉用ビニールとが互いに接触した状態になる。そのため、ビニールの内面に結露が生じると、この結露水が防虫網に伝わって、防虫網から水滴となって落下する。この水滴が作物に落下すると、作物の成長を妨げたり、種々の病害を発生させる要因になってしまう。
【０００６】
また、換気窓の下側で作物を栽培しないように対処している農家も見受けられるが、ビニールハウス内に無駄なスペースができてしまうため、生産性が悪くなる。
【０００７】
本発明は、上述した事情を鑑みてなされたものであり、その目的は、結露水が防虫網を伝って落下するのを防止するためのビニールハウスの防虫網取付構造を提供することにある。
【課題を解決するための手段】
【０００８】
上述課題を解決するため、本発明は、ビニールハウスの天井部に換気窓を設け、この換気窓の全面に防虫網を取り付けるためのビニールハウスの防虫網取付構造であって、前記ビニールハウスの奥行き方向に間隔を空けて立設される複数のパイプ材のうち少なくとも２本以上の前記パイプ材に跨がるようにして取り付けられ、前記ビニールハウスの内側に防虫網取付部が設けられた支持部材と、前記防虫網取付部に取り付けられ、前記換気窓の全面を内側から覆う防虫網と、前記ビニールハウスの天井部を構成する屋根ビニールよりも外側に取り付けられ、前記換気窓の全面を外側から覆い、前記換気窓の開閉に用いられる開閉用ビニールとを備えたことを特徴とする。
【０００９】
また、前記支持部材には、隣り合う前記パイプ材の間を覆うパイプ取付部が形成されている。
【００１０】
さらに、前記防虫網取付部は、前記ビニールハウスの奥行き方向に連続して延在し、前記支持部材がアーチパイプに取り付けられた状態で、斜め上側に向けて突出している。
【００１１】
また、前記パイプ材が円弧状に曲げられたアーチパイプであり、前記支持部材を前記アーチパイプの円弧状の曲率に合わせて取り付けるようにしてもよい。
【発明の効果】
【００１２】
本発明に係るビニールハウスの防虫網取付構造は、前記ビニールハウスの奥行き方向に間隔を空けて立設される複数のパイプ材のうち少なくとも２本以上の前記パイプ材に跨がって取り付けられ、前記ビニールハウスの内側に防虫網取付部が設けられた支持部材と、この防虫網取付部に取り付けられ、前記換気窓の全面を内側から覆う防虫網と、前記ビニールハウスの天井部を構成する屋根ビニールよりも外側に取り付けられ、前記換気窓の全面を外側から覆い、前記換気窓の開閉に用いられる開閉用ビニールとを備えているので、防虫網と開閉用ビニールとを接触させることなく間隔を空けて配置することができる。そのため、開閉用ビニールの内面を伝う結露水が防虫網に伝い落ちることがないので、結露水が防虫網から水滴となって落下することがない。
【図面の簡単な説明】
【００１３】
【図１】本発明の実施の形態に係る防虫網取付構造が設けられたビニールハウスの概要図である。
【図２】図１のＸ−Ｘ断面図である。
【図３】図２のＹ−Ｙ断面図である。
【図４】図２のＡ方向から見た図である。
【図５】支持部材を単体で示す図である。
【図６】換気窓の取付部位を示す概要図である。
【発明を実施するための最良の形態】
【００１４】
以下、本発明の実施の形態に係るビニールハウスの防虫網取付構造について、図面を用いて詳細に説明する。
図１は、本発明の実施の形態に係る防虫網取付構造が設けられたビニールハウスの外観斜視図である。なお、本実施の形態で使用する前後（奥行き）、左右、上下方向とは、図１で示す方向（妻面Ｓを正面から見た方向）をいうものとする。また、内側、外側とは、ビニールハウス１の内側（内部側）、外側（外部側）をいうものとする。
【００１５】
ビニールハウス１は、図１に示すように、妻面Ｓ側から奥行き方向（前後方向）に間隔を空けて複数のアーチパイプ２ａが設けられており、このアーチパイプ２ａを繋ぐようにして直線状の母屋パイプ２ｂが前後方向に連結されている。また、これらのパイプ２ａ、２ｂの外側には、屋根部を覆う屋根ビニール３ａと、側面部を覆う側ビニール３ｂとによって、ビニールハウス１の外側全面が覆われている。また、これらの透過性を有するビニール３ａ、３ｂは、アーチパイプ２ａ等に取り付けられたビニペット（図視せず）を介してパイプ２ａ、２ｂに固定される。
【００１６】
ビニールハウス１の屋根部には、略矩形状に開口する換気窓１０が設けられている。この換気窓１０は、図６に示すように、円弧状の屋根部のいずれの部分にも設けることができ、風向きや方位を考慮して換気効率のよい位置に設置することが好ましい。
【００１７】
なお、ビニールハウス１の大きさ（規模）によっては、強度を確保するための主骨材がパイプ２ａ、２ｂの外側に取り付けられるようになる。本実施例では、これらの主骨材を省略した構造で説明する。
【００１８】
図２は、図１のＸ−Ｘ断面図、図３は、図２のＹ−Ｙ断面図、図４は、図２のＡ方向から見た図である。また、図５は、支持部材１１を単体で示すものであり、（Ａ）は正面図、（Ｂ）は（Ａ）の右側面図である。
【００１９】
換気窓１０には、図２に示すように、アーチパイプ２ａに固定され、ビニールハウス１の内側に向けて突出する支持部材１１が取り付けられている。また、この支持部材１１のさらに内側には、防虫網２０が取り付けられている。一方、アーチパイプ２ａの外側であって、屋根ビニール３ａのさらに外側には、開閉用ビニール３０が取り付けられている。
【００２０】
支持部材１１は、図５（Ａ）、図５（Ｂ）に示すように、換気窓１０の前後方向の全長に亘って連続するように形成されている。この支持部材１１は、アーチパイプ２ａに取り付けられるパイプ取付部１２と、防虫網２０が取り付けられる防虫網取付部１３とで構成されている。
【００２１】
パイプ取付部１２には、アーチパイプ２ａの隣り合う間隔に対応して複数の切り欠き１２ｂが形成されている。この切り欠き１２ｂの形状は、アーチパイプ２ａの外周形状に対応しており、アーチパイプ２ａに切り欠き１２ｂを嵌め込んだ状態で、隙間なく密着するようになっている。また、このパイプ取付部１２は、図２に示すように、アーチパイプ２ａに対して略直角に取り付けられ、アーチパイプ２ａに対して、内側斜め下方向に向けて延びるようになっている。
【００２２】
また、パイプ取付部１２は、図３に示すように、隣り合うアーチパイプ２ａの間を隙間なく覆うようになっており、この部分からビニールハウス１の内部に害虫および結露水が侵入しないようにしている。
【００２３】
さらに、パイプ取付部１２には、図５（Ｂ）の紙面右側に向けて突出する固定部１２ａが形成されており、支持部材１１の前後方向の全長に亘って連続している。この固定部１２ａは、図２に示すように、アーチパイプ２ａに切り欠き１２ｂを嵌め込んだ状態で、アーチパイプ２ａの下側に沿って斜め下側に突出するようになっており、支持部材１１をアーチパイプ２ａにボルト（図視せず）などを用いて固定するためのものである。
【００２４】
防虫網取付部１３は、図５（Ｂ）に示すように、パイプ取付部１２の下端から略直角に、固定部１２ａと反対側に延びている。この防虫網取付部１３も、固定部１２ａと同様に、支持部材１１の全長に亘って形成されている。また、防虫網取付部１３は、図２に示すように、支持部材１１がアーチパイプ２ａに取り付けられた状態で、アーチパイプ２ａに沿って斜め上側（固定部１２ａと反対側）に向けて突出するようになっている。
【００２５】
この支持部材１１は、１枚の板金を折り曲げ加工することによって、固定部１２ａ、防虫網取付部１３が形成されている。特に、固定部１２ａは、別体のものを溶接などで取り付けて製作する場合と比較して、板金を折り曲げ加工する方が容易に製作することができる。
【００２６】
このような支持部材１１は、図３および図４に示すように、換気窓１０の上側および下側にそれぞれ取り付けられており、複数（少なくとも２本以上）のアーチパイプ２ａに跨がるようにして、換気窓１０の前後方向の全長に亘って延在している。このような取付構造にすることで、アーチパイプ２ａの円弧状の曲率が異なるビニールハウスに換気窓１０を構成する場合でも、支持部材１１を曲率に合わせて適宜配置することができる。
【００２７】
防虫網２０は、図２〜図４に示すように、換気窓１０の開口の全面を下側から覆う大きさに略矩形状に形成されており、防虫網取付部１３の下面に取り付けられている。詳細には、防虫網２０の上下方向の長さは、図２に示すように、上下に位置する２本の支持部材１１の防虫網取付部１３の間に亘っている。また、前後方向の長さは、図３に示すように、支持部材１１の前後方向の全長よりも少し長く、その前後の端部を上側に折り返して取り付けている。このように折り返すことで、支持部材１１の前後方向における側部の隙間を防虫網２０で覆うようにしている。なお、防虫網２０の面後方向の端部は、上下方向に延びるペット２１に挟み込むようにして固定されている。
【００２８】
開閉用ビニール３０は、図２〜図４に示すように、防虫網２０を含む換気窓１０の全面を覆う略矩形状に形成されており、屋根ビニール３ａのさらに外側に配置される。この開閉用ビニール３０の縁部は、図視しないビニペットによって、屋根ビニール３ａと一緒に挟み込んで固定されている。すなわち、開閉用ビニール３０と防虫網２０は、上下方向に間隔を空けて配置されており、これらが互いに接触しない構造になっている。
【００２９】
開閉用ビニール３０は、換気窓１０を開閉するためのものであり、閉じた状態ではビニールハウス１内に外気が入り込まないように密閉され、開いた状態ではビニールハウス１の内外の空気が循環するようになる。この開閉用ビニール３０の開閉作業は、例えば、開閉用ビニール３０を巻き上げる巻上機を用いて行う。なお、この開閉の方法は、従来と同じ方法であり、種々の方法が用いられるが、本実施例では、その詳細な説明は省略する。
【００３０】
開閉用ビニール３０と防虫網２０との間隔は、支持部材１１のパイプ取付部１２の長さによって決定される。また、この間隔は、開閉用ビニール３０を開閉する際に、開閉用ビニール３０が撓んで内側に入り込んだとしても、防虫網２０と接触しない寸法を確保している。
【００３１】
次に、本発明の実施の形態に係るビニールハウスの防虫網取付構造の作用について詳細に説明する。
【００３２】
ビニールハウス１内は湿度が高く、また、ビニールハウス１の内外の気温差などに起因して、屋根ビニール３ａの内面が結露する。この結露水は、換気窓１０がない箇所では、屋根ビニール３ａの内面の傾斜に沿って下側に伝い落ちた後に、側ビニール３ｂを伝って地面に到達する。このように、結露水は、屋根ビニール３ａを伝い落ちる途中で水滴となって落下することはない。
【００３３】
一方、伝い落ちる経路の途中に換気窓１０がある場合、結露水のほとんどは、開閉用ビニール３０および屋根ビニール３ａを伝って、地面に到達する。また、仮に、結露水が支持部材１１を伝い落ちたとしても、斜め上側に折り曲げられた防虫網取付部１３の上面によって受けられ、防虫網２０まで伝わらない。より詳細には、防虫網取付部１３の上面が水樋の機能を奏することになる。なお、防虫網取付部１３で受けられた結露水は、支持部材１１に沿って前後方向のいずれかの端部まで流れて行き、図視しない排水ホースによって所定の位置に排水される。
【００３４】
さらに、開閉用ビニール３０の内面で生じた結露水についても同様に、開閉用ビニール３０および屋根ビニール３ａを伝って地面に到達するか、防虫網取付部１３の上面によって受けられる。
【００３５】
上述したいずれの場合でも、結露水は、防虫網２０まで到達することがない。従来では、この防虫網に伝わった結露水は、網目の部分で溜まり、水滴となって落下していたが、本実施例では結露水が防虫網２０まで伝わらず、結露水と防虫網２０が触れることがないので、水滴となって落下することがない。
【００３６】
本発明の実施の形態に係るビニールハウスの防虫網取付構造によれば、ビニールハウス１の奥行き方向に間隔を空けて立設される複数のアーチパイプ２ａのうち少なくとも２本以上のアーチパイプ２ａに跨がるようにして取り付けられ、ビニールハウス１の内側に防虫網取付部１３が設けられた支持部材１１と、防虫網取付部１３に取り付けられ、換気窓１０の全面を内側から覆う防虫網２０と、ビニールハウス１の天井部を構成する屋根ビニール３ａよりも外側に取り付けられ、換気窓１０の全面を外側から覆い、換気窓１０の開閉に用いられる開閉用ビニール３０とを備えているので、防虫網２０と開閉用ビニール３０とが接触することなく間隔を空けて配置することができる。そのため、開閉用ビニール３０の内面を伝う結露水が防虫網２０に伝い落ちることがないので、結露水が防虫網２０から水滴となって落下することがない。
【００３７】
また、支持部材１１には、隣り合うアーチパイプ２ａの間を覆うパイプ取付部１２が形成されているので、アーチパイプ２ａの間の空間からビニールハウス１内に害虫が侵入するのを防止することができる。また、この部分まで防虫網２０を延ばして覆う必要がないので、結露水が防虫網２０に伝い落ちることがない。
【００３８】
さらに、防虫網取付部１３は、ビニールハウス１の奥行き方向に連続して延在し、支持部材１１がアーチパイプ２ａに取り付けられた状態で、斜め上側に向けて突出しているので、仮に、結露水が支持部材１１を伝い落ちたとしても、この防虫網取付部１３の上面で受けて排水することができる。そのため、結露水が防虫網２０に伝い落ちることがない。
【００３９】
また、支持部材１１をアーチパイプ２ａの円弧状の曲率に合わせて取り付けているので、アーチパイプ２ａの円弧状の曲率が異なるビニールハウスに設置する場合でも、支持部材１１を曲率に合わせて適宜取り付けることができる。
【００４０】
以上、本発明の実施の形態に係るビニールハウスの防虫網取付構造について述べたが、本発明は既述の実施形態に限定されるものではなく、本発明の技術思想に基づいて各種の変形および変更が可能である。
【００４１】
例えば、本実施の形態では、ビニールハウス１の屋根の形状が円弧状（アーチ状）のもので説明しているが、例えば三角屋根など曲面のない屋根であっても構成することができる。すなわち、アーチパイプ２ａのように曲率があるパイプ材でも、斜めに直線的に延びるパイプ材であっても、支持部材１１を適宜取り付けることができるので、屋根の形状に限定されることなく本発明の構成を適用することができる。これにより、結露水が防虫網２０に伝わることがないので、結露水が防虫網２０と接触して水滴となって落ちないようにすることができる。
【符号の説明】
【００４２】
１  ビニールハウス
２ａ  アーチパイプ（パイプ材）
２ｂ  母屋パイプ
３ａ  屋根ビニール
３ｂ  側ビニール
１０  換気窓
１１  支持部材
１２  パイプ取付部
１２ａ  固定部
１２ｂ  切り欠き
１３  防虫網取付部
２０  防虫網
２１  ペット
３０  開閉用ビニール
Ｓ  妻面
【要約】
【課題】結露水が防虫網を伝って落下するのを防止するためのビニールハウスの防虫網取付構造を提供する。
【解決手段】ビニールハウス１の天井部に換気窓１０を設け、この換気窓１０の全面に防虫網２０を取り付けるためのビニールハウスの防虫網取付構造であって、ビニールハウス１の奥行き方向に間隔を空けて立設される複数のパイプ材２ａのうち少なくとも２本以上のパイプ材２ａに跨がるようにして取り付けられ、ビニールハウス１の内側に防虫網取付部１３が設けられた支持部材１１と、防虫網取付部１３に取り付けられ、換気窓１０の全面を内側から覆う防虫網２０と、ビニールハウス１の天井部を構成する屋根ビニール３ａよりも外側に取り付けられ、換気窓１０の全面を外側から覆い、換気窓１０の開閉に用いられる開閉用ビニール３０とを備えた。
【選択図】図２【図１】
0006899009.tif 000002
【図２】
0006899009.tif 000003
【図３】
0006899009.tif 000004
【図４】
0006899009.tif 000005
【図５】
0006899009.tif 000006
【図６】
0006899009.tif 000007